(57)【要約】【課題】放電灯の閃光を防止ないしは低減しながら、電源電圧変動等に対する光出力の安定化を速やかに図れる放電灯点灯装置および照明装置を提供する。【解決手段】放電灯１１が消灯から点灯する場合には、目標値２０の出力は図３（ａ）のように変化する。この出力は積分係数Ｋｉ倍の増幅器２３を介して積分器２４に入力され、積分されてその出力は図３（ｂ）のものとなる。電圧‐周波数変換器２７は積分器２４の出力に応じて出力周波数を徐々に変化させる。一方、目標値２０の変更以外の要因でランプ電流２１が変動した場合には、比較器２５は、前記積分器２４の出力（図３（ｄ））に対して増幅器２６の出力（図３（ｅ））分だけ制御量を加算するから、その出力は図３（ｆ）のものとなる。これは、図３（ｂ）に比して、信号の立上がりが大きいため、出力制御の応答速度が速く、速やかに目標値に安定化することが可能である。【選択図】図２
2007200621.tif 000002
【特許請求の範囲】
【請求項１】
放電灯を点灯する出力可変の点灯装置と；
放電灯の光出力量を決定する目標値を設定される目標値設定部と；
放電灯の点灯状態を示す信号を検出する信号検出手段と；
信号検出手段からの検出信号および目標値の比較に基き、点灯装置の出力を放電灯の光出力量が目標値に近づくように制御し、かつ、前記目標値が変更された場合の出力制御の応答速度を、目標値の変更以外の要因によって放電灯の光出力量が変化した場合における出力制御の応答速度より遅くする制御手段と；
を具備したことを特徴とする放電灯点灯装置。
【請求項２】
放電灯を点灯する出力可変の点灯装置と；
放電灯の光出力量を決定する目標値を設定される目標値設定部と；
放電灯の点灯状態を示す信号を検出する信号検出手段と；
信号検出手段からの検出信号および目標値の比較に基き、点灯装置の出力を放電灯の光出力量が目標値に近づくように制御し、かつ、前記目標値が変更された場合、変更幅の大きさに応じて出力制御の応答速度を変化させる制御手段と；
を具備したことを特徴とする放電灯点灯装置。
【請求項３】
照明器具本体と；
照明器具本体に装着された放電灯と；
放電灯を点灯する請求項１または２記載の放電灯点灯装置と；
を具備したことを特徴とする照明装置。
【発明の詳細な説明】
【技術分野】
【０００１】
本発明は、放電灯の光出力を一定化制御する放電灯点灯装置およびこの放電灯点灯装置を用いた照明装置に関する。
【背景技術】
【０００２】
放電灯の光出力の一定化制御のために、ランプ電流またはランプ電力を検出し、基準値と比較して点灯装置の出力を負帰還制御するものが知られている。このように負帰還制御するものにあって、例えば消灯状態から点灯する場合、その立上がり時に負帰還制御が過剰に作用して光出力が急激に増大し、その後に所定の光出力にまで低下する現象が生じることがあった。しかしながら、この場合には、急激に増大する光出力が使用者にとっては不快な閃光に感じるという問題があった。このような閃光は、深い調光度（例えば定格点灯の２０〜３０％）で始動点灯しようとする場合に顕著に感じられるものである。
【０００３】
光出力が急激に増大する現象は、負帰還制御の応答速度を極端に遅く設計すれば解決可能であるが、この場合には、周囲温度の変化、電源変動、放電灯の経時変化等による光出力の変動に対する迅速な光出力安定化制御という本来の目的を果たせなくなる虞がある。
【０００４】
なお、始動時の閃光を防止するという目的に対しては、特許文献１のものが提案されている。
【特許文献１】特開２００５−３０２４２９号公報
【０００５】
特許文献１に記載された技術は、インバータおよび共振回路を備えた放電灯点灯装置であって、放電灯の始動時には共振条件を変化するとともに、インバータのスイッチング周波数やオンデューティを変化させるものである。特許文献１の技術は、上記の構成により、十分な始動電圧を得ながら、点灯直後に放電灯に設定値に対して過大な電力が入力されないようにしようとするものである。
【発明の開示】
【発明が解決しようとする課題】
【０００６】
しかしながら、特許文献１のものでは、共振条件を変化するために入力直流電源電圧を制御しているので、電圧制御手段が必要になって構成の複雑化、高価格化を招いてしまう。また、オンデューティを変化させた場合には、回路に過大な電圧が発生したり、回路電流に直流成分が重畳されることにより巻線部品が飽和しやすくなったりするため、グレードの高いしたがって高価な部品を用いる必要が生じる。
【０００７】
本発明は、簡単な構成でありながら、放電灯の閃光を防止ないしは低減しながら、電源電圧変動等に対する光出力の安定化を極力迅速に行える放電灯点灯装置および照明装置を提供することを目的とする。  
【課題を解決するための手段】
【０００８】
請求項１記載の放電灯点灯装置は、放電灯を点灯する出力可変の点灯装置と；放電灯の光出力量を決定する目標値を設定される目標値設定部と；放電灯の点灯状態を示す信号を検出する信号検出手段と；信号検出手段からの検出信号および目標値の比較に基き、点灯装置の出力を放電灯の光出力量が目標値に近づくように制御し、かつ、前記目標値が変更された場合の出力制御の応答速度を、目標値の変更以外の要因によって放電灯の光出力量が変化した場合における出力制御の応答速度より遅くする制御手段と；を具備したことを特徴とする。
【０００９】
なお、請求項１記載の発明および以下の発明において、用語の定義または技術的意味はつぎのとおりである。放電灯は、蛍光ランプのような低圧形、ＨＩＤのような高圧形等どのようなものでもよく、また、用途としても一般照明用、殺菌用、装飾用等どのようなものでもよい。
【００１０】
点灯装置は、鉄・銅式のものでも電子式のものでもよいが、出力の変化を容易に行える点で電子式のものが有利である。電子式であっても各種の回路方式を採用可能であるが、例えば、高周波でスイッチングするスイッチング装置と共振回路とを備えたインバータ式のものは、スイッチング周波数やスイッチングのオンデューティ、あるいは入力の直流電圧値を変化させる等の手段により、容易に出力値を変化することが可能である。しかし、本発明がインバータ式のものに限定されるものではなく、上記の鉄・銅式またはその他の形式のものであっても出力を本発明が規定するように変化できるものであればよい。
【００１１】
目標値設定部は、放電灯のランプ電流やランプ電力等のように実際の負荷状態検出信号と比較される基準値を設定するものである。目標値設定部は、例えば非調光タイプでは固定式であってよいし、調光タイプでは調光信号に応じて目標値を変化する可変式であってもよい。
【００１２】
信号検出手段は、点灯装置からの出力を印加されて点灯している放電灯の点灯状態を示す信号を検出するもので、例えば、ランプ電流、ランプ電圧、ランプ電力、光出力等を検出するものである。これらの検出手段の具体的構成としては、ランプ電流を検出する場合には放電灯と直列に変流器、抵抗等を接続して検出することができる。ランプ電圧を検出する場合には放電灯と並列的に分圧回路のような電圧検出器や変圧器を設けて検出することができる。ランプ電力を検出する場合にはランプ電流とランプ電圧との積により検出することができる。光出力を検出する場合には光電変換素子等からなる照度センサを用いて検出することができる。
【００１３】
制御手段は、基本的には目標値と信号検出手段からの検出信号との比較に基いて点灯装置の出力を負帰還制御するものであるが、出力制御の応答速度を変化要因に応じて異ならせる。すなわち、目標値が変更された場合と、目標値の変更以外の要因によって検出信号が変更された場合とで異ならせる。目標値の変更とは、消灯状態から点灯される場合、点灯中に調光信号により目標値が変更される場合を含んでいる。目標値の変更以外の要因による変更とは、周囲温度の変化、電源電圧の変動、放電灯の経時変化、外乱等により放電灯の光出力が変動した場合を含んでいる（このような変動は一般には相対的に小さい）。また、応答速度の変化は、単位時間当たりの変化量を変化させるものであるが、その程度は特に限定されるものではない。始動時等における閃光の低減、通常点灯時の安定点灯を所望の速度で図れるように設定される。
【００１４】
制御手段は、点灯装置の出力を制御でき、かつ、出力制御の応答速度を変化できるものであればどのようなものでもよいが、メモリを有し、ＩＣ、マイコン、ＤＳＰ（デジタルシグナルプロセッサ）等で演算処理するものが処理速度、小形化の点で有利である。また、このように、マイコン等で構成した場合には、放電灯の始動時の制御シーケンスや、検出信号を利用した放電灯の装着検出、放電灯の異常放電検出等の制御を記憶し、制御を実行することも容易に可能となる。しかし、アナログ的に構成することも可能であり、当業者であれば任意に設計可能である。
【００１５】
請求項１記載の発明は、目標値の変更に対しては、点灯装置の出力変化の応答速度を相対的に遅いものとする。これにより、放電灯の光出力が過剰に変動して閃光を発したりすることを防止ないしは低減する。目標値の変更以外の電源電圧変動等により信号検出手段からの検出信号が変化した場合には、相対的に早い速度で点灯装置の出力を制御する。これにより、放電灯の光出力を速やかに安定化する。
【００１６】
請求項２記載の放電灯点灯装置は、放電灯を点灯する出力可変の点灯装置と；放電灯の光出力量を決定する目標値を設定される目標値設定部と；放電灯の点灯状態を示す信号を検出する信号検出手段と；信号検出手段からの検出信号および目標値の比較に基き、点灯装置の出力を放電灯の光出力量が目標値に近づくように制御し、かつ、前記目標値が変更された場合、変更幅の大きさに応じて出力制御の応答速度を変化させる制御手段と；を具備したことを特徴とする。
【００１７】
請求項２記載の放電灯点灯装置は、例えば消灯状態から全点灯する場合と、消灯状態から２０％調光で点灯する場合とで応答速度を変化させるから、常に目標値までの立上がりを円滑にして、閃光を発するようなことを防止ないし低減できる。すなわち、全点灯する場合に適切な応答速度と２０％調光で点灯する場合に適切な応答速度とはそれぞれ異なるが、請求項２記載の発明はこのような要望に応え得るものである。
【００１８】
なお、請求項１記載の発明と請求項２の発明とを組合わせて構成することは任意であり、容易に実施できることである。
【００１９】
請求項３記載の照明装置は、照明器具本体と；照明器具本体に装着された放電灯と；放電灯を点灯する請求項１または２記載の放電灯点灯装置と；を具備したことを特徴とする。
【００２０】
請求項３記載の発明の作用は、特に説明しなくても容易に理解されることである。
【発明の効果】
【００２１】
請求項１記載の発明によれば、放電灯の始動時、光出力の目標値の変更時には点灯装置の出力制御の応答速度を遅くし、目標値の変更時以外では出力制御の応答速度を速くしたから、閃光等の問題を軽減しつつ速やかな光出力の安定化も図れる放電灯点灯装置を提供することができる。
【００２２】
請求項２記載の発明によれば、光出力の目標値の変更が大きいほど出力制御の応答速度を遅くし、目標値の変更が小さいほど出力制御の応答速度を速くしたから、常に光出力の立上がりを滑らかにして、閃光等の問題を軽減しつつ速やかな光出力の安定化も図れる放電灯点灯装置を提供することができる。
【００２３】
請求項３記載の発明によれば、１または２記載の発明の放電灯点灯装置と同様な効果を奏する照明装置を提供できる。  
【発明を実施するための最良の形態】
【００２４】
以下、本発明による放電灯点灯装置の一実施形態を図１〜図７を参照して説明する。図１は本発明による放電灯点灯装置の一実施形態を示す回路図、図２は同じく第一の制御態様を示すブロック図、図３は図２の制御態様における各部の信号波形を概念的に示す図、図４は従来の制御態様を示すブロック図、図５は図４の制御態様における各部の信号波形を概念的に示す図、図６は第一の制御態様に対応した光出力の変化を示す図、図７は従来の制御態様に対応した光出力の変化を示す図である。
【００２５】
１は商用電源２の出力電圧を整流・平滑してなる直流電源装置であって、それぞれ周知の整流装置３およびアクティブフィルタ４を有している。そして、この直流電源装置１にハーフブリッジ形の高周波インバータ回路からなる点灯装置５が接続されている。点灯装置５は、スイッチング素子として、一対のＭＯＳ型ＦＥＴ６、７の直列回路を前記直流電源装置１に接続している。そして、これら一対のＦＥＴ６、７は駆動手段８からの信号に応じて高い周波数で交互にオンオフして直流電源装置１の出力電圧をスイッチングする。一方のＦＥＴ７のドレイン・ソースと並列に、直流カットコンデンサ９、共振および限流用のインダクタ１０および蛍光ランプである熱陰極形の放電灯１１の直列回路が接続されている。放電灯１１の一対のフィラメントの非電源側端間には共振および予熱用のコンデンサ１２が接続されている。前記インダクタ１０と共振用のコンデンサ１２とは直列共振回路を形成し、高周波のスイッチング出力を供給されて、共振電圧を出力する。したがって、直列共振回路はスイッチング周波数やオンデューティに応じて出力を変化可能である。
【００２６】
放電灯１１と並列的にはランプ電圧を検出する電圧検出手段１３が設けられている。また、放電灯１１と直列的にはランプ電流を検出する電流検出手段１４が設けられている。ここで、並列的または直列的とは、並列または直列の他、中間に他の部品が介在している場合も含むことを意味する。
【００２７】
前記電圧検出手段１３としては、詳細な図示は省略するが、抵抗分圧回路、変圧器等で構成することができる。また、電流検出手段１４も変流器、インピーダンス素子、フォトカプラ等により構成することができる。なお、本実施形態の場合、放電灯１１の一対のフィラメントの非電源側端間にコンデンサ１２が接続されているため、厳密にランプ電流を検出しようとするにはこのコンデンサ１２に流れる電流分を相殺すればよい。この場合、例えば差動形の変流器を放電の主回路および予熱回路に跨るように設けて電流検出手段１４を構成することができる。これら電圧検出手段１３および電流検出手段１４の出力は制御手段１５に入力されるようになっている。
【００２８】
制御手段１５は、ＩＣ、マイコン、デジタルシグナルプロセッサ（ＤＳＰ）等によって構成されており、その機能として、演算制御部（ＣＰＵ）１５ａ、メインメモリ１５ｂ、プログラムメモリ１５ｃ、不揮発性メモリ１５ｄ、アナログ/デジタル変換器（ＡＤ変換器）１５ｅ、インターフェイス回路（Ｉ/Ｆ回路）１５ｆを備えている。
【００２９】
そして、この制御手段１５は、放電灯１１の始動時の制御シーケンス、電圧検出手段１３や電流検出手段１４からの検出信号に応じた制御を記憶しているとともに、制御を実行する。その制御内容の内、本発明に関する部分については追って詳細に説明する。制御手段１５の制御結果は、点灯装置５の駆動手段８に供給され、駆動手段８の出力を変化させる。すなわち、出力周波数、オンデューティ、一対のＭＯＳ型ＦＥＴ６、７のオンオフ比率のいずれかあるいはこれらの２種以上を変化させる。これにより、点灯装置５の出力を所望に変化させるものである。
【００３０】
また、この制御手段１５は、外部からの調光度を示す信号等の目標値を入力して、前記不揮発性メモリ１５ｄに記憶する。したがって、本実施形態では、制御手段１５の前記不揮発性メモリ１５ｄが目標値設定部を兼用している。
【００３１】
このような制御手段１５に対して、前記電圧検出手段１３および電流検出手段１４からの検出信号は、アナログ/デジタル変換器１５ｅに入力されるようになっている。そして、これらの信号は、目標値の信号と比較され、放電灯１１のランプ電流やランプ電力が一定化するように駆動手段８を制御する。
【００３２】
つぎに、本実施形態における放電灯点灯装置の作用について説明する。なお、本実施形態においては、ランプ電流を一定化制御するものとして以下説明する。まず、放電灯１１の始動点灯時においては、始動シーケンスに応じて、制御手段１５はフィラメント予熱、始動電圧印加、点灯電圧出力の順序で点灯装置５の出力を変化させる。
【００３３】
ここで、制御手段１５の制御態様の例を図２および図３を参照して説明する。まず、図２において、２０は目標値を、２１は電流検出手段１４が検出したランプ電流値を示している。２２は前記目標値２０とランプ電流値２１とを比較してその差を出力する比較器、２３は比較器２２の出力を積分係数Ｋｉ倍する増幅器、２４は積分器である。また、２５は加算器であって、この加算器２５は積分器２４の出力に対してランプ電流値２１を比例係数Ｋｐ倍する増幅器２６の出力を、点灯装置５の出力制御量を強調する関係に加算する。加算器２５の出力は、入力される電圧値に応じて出力周波数を変化させる電圧‐周波数変換機（ＶＣＯ）２７に入力されるようになっている。この電圧‐周波数変換器２７の出力によって点灯装置５が制御されて、その出力をランプ電流値が設定値（目標値で決定されたもの）に近づくように変化する。
【００３４】
この図２に示した制御態様の作用を図３を参照して説明する。まず、放電灯１１が消灯から点灯する場合には、目標値２０の出力は図３（ａ）のように変化することになる。この出力は積分係数Ｋｉ倍の増幅器２３を介して積分器２４に入力され、積分されてその出力は図３（ｂ）のものとなる。したがって、電圧‐周波数変換器２７は積分器２４の出力に応じて出力周波数を徐々に変化させることになる。
【００３５】
これにより、点灯装置５の出力も徐々に変化し、放電灯１１の光出力は図６に示すように目標値に向かって相対的に緩やかに増加するため、光出力がオーバーシュート気味に増大して閃光を感じさせることがない。
【００３６】
一方、目標値２０の変更以外の要因でランプ電流２１が変動した場合には、このランプ電流２１は比較器２２で目標値２０と比較され、例えば図３（ｃ）に示す信号を出力する。比較器２２の信号は増幅器２３を介して積分器２４にて積分されて図３（ｄ）のような信号となる。また、ランプ電流２１の変化分はそのまま比例係数Ｋｐ倍の増幅器２６に入力され、その出力は例えば図３（ｅ）となる。比較器２５は、前記積分器２４の出力（図３（ｄ））に対して増幅器２６の出力（図３（ｅ））分だけ制御量を加算するから、その出力は図３（ｆ）のものとなる。したがって、この値により電圧‐周波数変換器２７は出力周波数を決定することになるが、図３（ｂ）と対比して明らかなように、信号の立上がりが大きいため、出力制御の応答速度が速く、速やかに目標値に安定化することが可能である。
【００３７】
ここで、参考のために、従来の制御態様を図４を参照して説明する。なお、図２と同じまたは対応する部分には同じ符号を付して説明を省略する。図４の制御態様は、目標値２０およびランプ電流２１がそのまま比較器２２に入力されている。比較器２２の出力を積分係数Ｋｉ倍する増幅器２３を介して積分器２４に入力するとともに、比例係数Ｋｐ倍する増幅器２６に入力する。そして、これら積分器２４および増幅器２６の出力を加算器２５に和の関係に入力する。加算器２５の出力は、電圧‐周波数変換器２７に入力され、点灯装置５の出力を制御する。すなわち、図４の制御態様は、目標値２０が変更された場合も、ランプ電流値２１が変動した場合も、同じ制御を行うように構成されている。
【００３８】
この図４に示した制御態様の作用を図５を参照して説明する。まず、比較器２２の出力が図５（ａ）に示すものとしたとき、積分器２４の出力は図５（ｂ）となる。一方、増幅器２６の出力はランプ電流値をＫｐ倍したもので図５（ｃ）のものとなる。したがって、比較器２５の出力はこれら図５（ｂ）と同（ｃ）のものを足した図（ｄ）のものとなり、この値により電圧‐周波数変換器２７は出力周波数を決定することになる。
【００３９】
以上の図３（ｂ）と図５（ｄ）との対比から明らかなように、制御信号の立上がりが異なるから、点灯装置５の出力制御の応答速度は、図４の制御形態の方が早くなる。したがって、図４の制御形態で、かつ、電源電圧変動等によりランプ電流が変動した場合に十分な応答速度にしようとして積分係数Ｋｉ、比例係数Ｋｐを設定すると、始動時には比例係数による制御が利き過ぎて放電灯１１の光出力がオーバーシュート気味に立上がり、閃光のように感じられることになる虞がある。この様子を図７に示す。
【００４０】
なお、説明は省略するが、点灯中に目標値を変更した場合、全点灯から２０％への変更等減光制御した場合も同様に作用することは容易に理解されるであろう。また、本実施形態において、電圧検出手段１３の検出信号を用いてランプ電力を一定化制御するようにしてもよいし、ランプ電圧を監視して、ランプ装着検出、点灯検出、寿命末期検出等を行うようにしてもよい。
【００４１】
本発明の他の実施形態を図８および図９を参照して説明する。図８は本発明による他の実施形態にの制御態様を示す図、図９は図８の制御態様における各部の信号波形を概念的に示す図である。
【００４２】
なお、本実施形態の制御態様を行う放電灯点灯装置の回路構成自体は図１のものと同じとする。そして、制御手段１５の制御態様の基本的部分は図４のものであり、したがって、図４と同じまたは対応する部分には同じ符号を付して説明を省略する。
【００４３】
本実施形態の特徴的部分は、調光信号に応じて、出力制御の応答速度を変化するものである。すなわち、外部からの操作等により調光信号８０が与えられると、目標値２０が変更されるとともに、積分係数Ｋｉ倍の増幅器２３および比例係数Ｋｐ倍の増幅器２６の少なくとも一方の係数を変更する。このように、調光信号に応じて増幅器２３、２６の係数を変更することによって、電圧‐周波数変換器２７への入力信号を図９のように変更することができる。
【００４４】
なお、図９において、（イ）および（ロ）は、積分係数Ｋｉ倍の増幅器２３の積分係数を変更した場合の信号を示し、（ハ）および（ニ）は、比例係数Ｋｐ倍の増幅器２６の比例係数を変更した場合の信号を示している。図９では限られた数の変更例を示しているが、積分係数Ｋｉ倍の増幅器２３および比例係数Ｋｐ倍の増幅器２６の各係数を任意に変更することにより、所望の応答速度を得られることは容易に理解されるであろう。
【００４５】
本実施形態の一実施例を図１０および図１１を参照して説明する。図１０はランプ電流の目標値が相対的に大きな値に設定されている場合のランプ電流の立上がりを示す図、図１１はランプ電流の目標値が相対的に小さな値に設定されている場合のランプ電流の立上がりを示す図である。図１０において、目標値１は例えば放電灯１１を定格（１００％）点灯する場合に相当するランプ電流値であり、（イ）は点灯装置５の出力制御の応答速度が大きい場合で、ランプ電流値が目標値１を一旦大きく越えてから目標値１に制御される様子を示している。この場合、光出力としては、一瞬明るく光ってから所定値に落ち着くことになって、使用者にとっては閃光と感じることがある。
【００４６】
（ロ）は出力制御の応答速度を定格（１００％）点灯に応じて設定したもので、緩やかに目標値１に近づいていく様子を示している。（ハ）は出力制御の応答速度が小さい場合で、目標値１に到達するまでに長時間を要している様子を示している。
【００４７】
図１１において、目標値２は例えば放電灯１１を２０％点灯する場合に相当するランプ電流値であり、（ロ）は出力制御の応答速度を定格（１００％）点灯に応じて設定したもので、ランプ電流値が目標値２を一旦大きく越えてから目標値２に制御される様子を示している。この場合、光出力としては、一瞬明るく光ってから所定値に落ち着くことになって、使用者にとっては閃光と感じることがある。
【００４８】
（ニ）は出力制御の応答速度を定格２０％点灯に応じて設定したもので、緩やかに目標値２に近づいていく様子を示している。
【００４９】
本発明の他の実施形態を図１２を参照して説明する。図１２は本発明による放電灯点灯装置の他の実施形態を示す回路図である。図１２において、図１と同じまたは対応する部分には同じ符号を付して説明を省略する。本実施形態の１２０は、誤差増幅器からなる比例積分制御部であって、そのマイナス入力端子には電流検出手段１４からの信号、プラス入力端子には目標値設定部１２１の信号が入力されるようになっている。この比例積分制御部の出力はスイッチ１２２を介して電圧‐周波数変換器１２３に入力される。
【００５０】
また、電圧‐周波数変換器１２３には初期設定信号１２４がスイッチ１２５を介して入力されるようになっている。前記スイッチ１２２、１２５は、放電灯１１の始動点灯時においてランプ電流を制御するに際して、まずはスイッチ１２５がオンでスイッチ１２２がオフ、ついで、スイッチ１２５がオフでスイッチ１２２がオンされる。これにより、電圧‐周波数変換器１２３は制御速度を決定する初期設定信号を設定されることになる。
【００５１】
そして、前記目標値設定部１２１の目標値は調光信号により設定あるいは変更され、それと連動して初期設定信号１２４の設定値も変更される。
【００５２】
本実施形態の作用は、これまでの説明から容易に理解されるであろうから説明は省略する。なお、本実施形態において、放電灯１１の始動点灯時だけでなく、調光信号により目標値を変更する度に電圧‐周波数変換器１２３の初期設定信号を変更することも可能である。この場合には、調光信号による目標値の変更に応じて前記スイッチ１２２、１２５のオン、オフ動作を行わせるようにすればよい。
【００５３】
つぎに、本発明による照明装置の一実施形態を図１３を参照して説明する。図１３の場合、照明装置は天井直付形の照明器具である。１３０は照明器具本体、１３１は照明器具本体１３０に設けられたソケット、１３２は反射板、１３３はソケット１３１に装着された熱陰極形の放電灯、１３４は照明器具本体１３０に内蔵された放電灯点灯装置である。
【００５４】
このような構成の照明装置は、放電灯１３３からの閃光を防止ないしは低減しつつ光出力の安定化を図れる。
【図面の簡単な説明】
【００５５】
【図１】本発明による放電灯点灯装置の一実施形態を示す回路図
【図２】同じく第一の制御態様を示すブロック図
【図３】図２の制御態様における各部の信号波形を概念的に示す図
【図４】同じく第二の制御態様を示すブロック図
【図５】図４の制御態様における各部の信号波形を概念的に示す図
【図６】第一の制御態様に対応した光出力の変化を示す図
【図７】第二の制御態様に対応した光出力の変化を示す図
【図８】本発明による他の本実施形態における制御態様を示す図
【図９】図８の制御態様における各部の信号波形を概念的に示す図
【図１０】ランプ電流の目標値が相対的に大きな値に設定されている場合のランプ電流の立上がりを示す図
【図１１】ランプ電流の目標値が相対的に小さな値に設定されている場合のランプ電流の立上がりを示す図
【図１２】本発明による放電灯点灯装置の他の実施形態を示す回路図
【図１３】本発明による照明装置の一実施形態を示す斜視図
【符号の説明】
【００５６】
１…直流電源装置、５…点灯装置、３，４…ＭＯＳ型ＦＥＴ、１１…放電灯、１３…電圧検出手段、１４…電流検出手段、１５…制御手段。
【図１】
2007200621.tif 000003
【図２】
2007200621.tif 000004
【図３】
2007200621.tif 000005
【図４】
2007200621.tif 000006
【図５】
2007200621.tif 000007
【図６】
2007200621.tif 000008
【図７】
2007200621.tif 000009
【図８】
2007200621.tif 000010
【図９】
2007200621.tif 000011
【図１０】
2007200621.tif 000012
【図１２】
2007200621.tif 000013
【図１３】
2007200621.tif 000014
【図１１】
2007200621.tif 000015